(57)【要約】【課題】使用者にとって、画像表示部により表示される複数の釦画像のうちの選択されたものについての確認が容易とされ、それにより、光透過型の操作パネル部における選択された釦画像に対応する部位の特定が容易かつ確実に行われるものとする。【解決手段】画像表示部２２のに重ねて配された光透過型の操作パネル部２３から得られる操作出力信号に基づき、画像表示部２２により表示される複数の釦画像についての操作を検出するとともに、検出された操作が複数の釦画像のいずれについてのものであるかを判別し、複数の釦画像の夫々についての操作履歴データを形成する操作検出・判別手段と、操作検出・判別手段から得られる操作履歴データを格納するメモリ部と、メモリ部に格納された操作履歴データに応じて、画像表示部２２により表示される複数の釦画像の表示態様を変化させる表示態様制御手段とを備える。【選択図】図１
2005134944.tif 000002
【特許請求の範囲】
【請求項１】
電子機器に備えられ、該電子機器に対する制御に用いられる複数の釦画像を表示する画像表示部と、
該画像表示部の表示面部に重ねて配され、上記複数の釦画像のいずれかに対応する部位が接触操作されるとき、該複数の釦画像のいずれかについての操作をあらわす操作出力信号を送出する光透過型の操作パネル部と、
該操作パネル部から得られる操作出力信号に基づき、上記複数の釦画像についての操作を検出するとともに、検出された操作が上記複数の釦画像のいずれについてのものであるかを判別し、上記複数の釦画像の夫々についての操作履歴データを形成する操作検出・判別手段と、
該操作検出・判別手段から得られる操作履歴データを格納するメモリ部と、
該メモリ部に格納された操作履歴データに応じて、上記画像表示部により表示される複数の釦画像の表示態様を変化させる表示態様制御手段と、
を備えて構成される画像表示を用いた制御装置。
【請求項２】
上記表示態様制御手段が、上記メモリ部に格納された操作履歴データのうちの特定の釦画像についてのものを選択し、選択された操作履歴データに応じて、上記画像表示部により表示される上記特定の釦画像の大きさを他の釦画像の大きさとは異ならせることを特徴とする請求項１記載の画像表示を用いた制御装置。
【請求項３】
上記表示態様制御手段が、上記メモリ部に格納された操作履歴データのうちの特定の釦画像についてのものを選択し、選択された操作履歴データに応じて、上記画像表示部により表示される上記特定の釦画像の色を他の釦画像の色とは異ならせることを特徴とする請求項１記載の画像表示を用いた制御装置。
【請求項４】
上記表示態様制御手段が、上記メモリ部に格納された操作履歴データのうちの特定の釦画像についてのものを選択し、選択された操作履歴データに応じて、上記画像表示部により表示される上記特定の釦画像の輪郭形状を他の釦画像の輪郭形状とは異ならせることを特徴とする請求項１記載の画像表示を用いた制御装置。
【請求項５】
上記表示態様制御手段が、上記メモリ部に格納された操作履歴データのうちの特定の釦画像についてのものを選択し、選択された操作履歴データに応じて、上記画像表示部により表示される上記特定の釦画像の他の釦画像との配置関係を変化させることを特徴とする請求項１記載の画像表示を用いた制御装置。
【請求項６】
上記表示態様制御手段が、上記メモリ部に格納された操作履歴データのうちの特定の釦画像についてのものを選択し、選択された操作履歴データに応じて、上記画像表示部における上記特定の釦画像の表示を阻止することを特徴とする請求項１記載の画像表示を用いた制御装置。
【請求項７】
上記電子機器についての使用者を判別するユーザ判別手段を備え、上記操作検出・判別手段が、上記ユーザ判別手段により判別された使用者毎に上記複数の釦画像の夫々についての操作履歴データを形成し、上記メモリ部が、上記操作検出・判別手段から得られる使用者毎の操作履歴データを格納し、上記表示態様制御手段が、上記メモリ部に格納された使用者毎の操作履歴データに応じて、上記画像表示部により表示される複数の釦画像の表示態様を変化させることを特徴とする請求項１記載の画像表示を用いた制御装置。
【発明の詳細な説明】
【技術分野】
【０００１】
本願の特許請求の範囲に記載された発明は、電子機器に備えられた画像表示部に、当該電子機器に対する制御に用いられる複数の釦画像が表示され、それらの夫々についての操作が、画像表示部における表示面部に重ねて配された接触操作用操作パネル部における、各釦画像に対応する部位に対する接触操作により行われるようにされた、画像表示を用いた制御装置に関する。
【背景技術】
【０００２】
電子機器の分野においては、各種メッセージ，釦画像等々を表示する画像表示部と、その表示面部に重ねて配された光透過型の接触操作用操作パネル部とを有し、画像表示部により表示された釦画像についての操作が、操作パネル部における釦画像に対応する部位に対する接触操作によって行われる接触操作制御装置を備えたものが知られている。このような接触操作制御装置を備えた電子機器であって、画像表示部により表示される画像を当該電子機器の使用者にとって見易いものとなす試みが図られたものが、種々提案されている（例えば、特許文献１及び特許文献２参照。）。
【０００３】
斯かる既に提案されている電子機器の一つ（特許文献１に記載されたもの）にあっては、陰極線管（ＣＲＴ）により、夫々履歴表示ボタンを含んで構成される複数の個別アラーム情報が配列配置されたプロセスアラーム一覧が画像表示されたもとで、ＣＲＴにより画像表示された複数の個別アラーム情報のうちの選択されたものにおける履歴表示ボタン（操作部）を操作すべく、タッチパネルが接触操作されると、ＣＲＴにおける複数の個別アラーム情報の画像に遮られることなく、選択された個別アラーム情報により示されるアラーム発生対象についての履歴情報を表示する履歴表示ウィンドウの全体が画像表示されるようになされている。また、既に提案されている画像表示装置の他の一つ（特許文献２に記載されたもの）にあっては、タッチパネルからそれに対する接触操作に応じた情報が出力されると、その情報に基づくメッセージを複数の操作部とともに画像表示するカラー液晶表示装置が、最新のメッセージとそれ以前のメッセージとを視覚的区別が可能な状態で画像表示するものとされている。
【特許文献１】特開平１０−６３３３４号公報
【特許文献２】特開２００３−８４９０６号公報
【発明の開示】
【発明が解決しようとする課題】
【０００４】
上述の如くの既に提案されている接触操作制御装置を備えた電子機器においては、ＣＲＴあるいは液晶表示パネルとされる画像表示部により表示される、例えば、メッセージについては、その視覚的認識を容易かつ確実に行わせるための考慮が払われたものとされているが、このような配慮は、画像表示部により表示される、電子機器に対する制御に用いられる複数の釦画像については払われていない。そして、通常、画像表示部により表示される複数の釦画像は、夫々が視覚的に同等のものとされて、一様に配列配置されたものとされる。
【０００５】
このようなもとで、画像表示部により表示される複数の釦画像のうちの選択されたものについての操作が、画像表示部における表示面部に重ねて配された、例えば、タッチパネルと称される接触操作パネル部における、複数の釦画像のうちの選択されたものに対応する部位に対する接触操作によって行われる。従って、複数の釦画像が、夫々が視覚的に同等のものとされて一様に配列配置されたものとされると、接触操作パネル部における選択された釦画像に対応する部分に対する接触操作にあたり、選択された釦画像と他の釦画像との区別が曖昧になり、その結果、誤操作を生じる虞があるという問題を伴う。特に、接触操作制御装置を備えた電子機器が車両に搭載されたものとされ、接触操作パネル部における選択された釦画像に対応する部分に対する接触操作が迅速に行われることが要求されるもとでは、とりわけ誤操作がまねかれ易いという不都合がある。
【０００６】
斯かる点に鑑み、本願の特許請求の範囲に記載された発明は、電子機器に備えられ、その電子機器に対する制御に用いられる複数の釦画像を表示する画像表示部と、画像表示部における表示面部に重ねて配され、画像表示部により表示される複数の釦画像のうちの選択されたものに対応する部位が接触操作されることにより、選択された釦画像についての操作が行われることになる操作パネル部とを有したもとで、電子機器の使用者にとって、画像表示部により表示される複数の釦画像のうちの選択されたものについての確認が容易とされ、それにより、操作パネル部における選択された釦画像に対応する部位の特定が容易かつ確実に行われ、その結果、誤操作が生じる事態が低減されることになる、画像表示を用いた制御装置を提供する。
【課題を解決するための手段】
【０００７】
本願の特許請求の範囲における請求項１から請求項７までのいずれかに記載された発明に係る画像表示を用いた制御装置は、電子機器に備えられ、その電子機器に対する制御に用いられる複数の釦画像を表示する画像表示部と、その画像表示部の表示面部に重ねて配され、複数の釦画像のいずれかに対応する部位が接触操作されるとき、複数の釦画像のいずれかについての操作をあらわす操作出力信号を送出する光透過型の操作パネル部と、操作パネル部から得られる操作出力信号に基づき、画像表示部により表示される複数の釦画像についての操作を検出するとともに、検出された操作が複数の釦画像のいずれについてのものであるかを判別し、複数の釦画像の夫々についての操作履歴データを形成する操作検出・判別手段と、操作検出・判別手段から得られる操作履歴データを格納するメモリ部と、メモリ部に格納された操作履歴データに応じて、画像表示部により表示される複数の釦画像の表示態様を変化させる表示態様制御手段と、を備えて構成される。
【０００８】
特に、請求項７に記載された発明に係る画像表示を用いた制御装置にあっては、電子機器についての使用者を判別するユーザ判別手段をも備え、操作検出・判別手段が、ユーザ判別手段により判別された使用者毎に、画像表示部により表示される複数の釦画像の夫々についての操作履歴データを形成し、メモリ部が、操作検出・判別手段から得られる使用者毎の操作履歴データを格納し、表示態様制御手段が、メモリ部に格納された使用者毎の操作履歴データに応じて、画像表示部により表示される複数の釦画像の表示態様を変化させるものとされる。
【発明の効果】
【０００９】
本願の特許請求の範囲における請求項１から請求項７までのいずれかに記載された発明に係る画像表示を用いた制御装置によれば、画像表示部により表示される複数の釦画像のうちの選択されたものについての操作が、操作パネル部における選択された釦画像に対応する部位が接触操作されることによりなされ、その接触操作に応じて操作パネル部から送出される操作出力信号に基づいて、画像表示部により表示される複数の釦画像の夫々についての操作履歴データが、操作検出・判別手段により得られ、その得られた操作履歴データがメモリ部に格納される。そして、表示態様制御手段により、メモリ部に格納された操作履歴データに基づいて、画像表示部により表示される釦画像の表示態様が変化せしめられる。その際における釦画像の表示態様の変化は、例えば、操作頻度が高い釦画像について、請求項１から請求項５までのいずれかに記載された発明に係る画像表示を用いた制御装置の場合のように、その大きさ，色，輪郭形状あるいは配置位置が、他の釦画像の大きさ，色，輪郭形状あるいは配置位置とは異なるものとなるようにして、あるいは、例えば、操作頻度が極めて低い釦画像について、請求項６に記載された発明に係る画像表示を用いた制御装置の場合のように、それが画像表示部において表示されないようにして行われる。
【００１０】
それにより、電子機器の使用者にとって、画像表示部により表示される複数の釦画像のうちの、例えば、操作頻度が高いものとされる選択された釦画像が、瞬時に他の釦画像から視覚的に明瞭に区別できるものとされることになり、操作パネル部における選択された釦画像に対応する部位の特定が容易かつ確実に行われることになって、誤操作がもたらされる事態の低減が効果的に図られる。
【００１１】
また、本願の特許請求の範囲における請求項７に記載された発明に係る画像表示を用いた制御装置によれば、操作検出・判別手段により、電子機器の複数の使用者の夫々について、個別に、画像表示部により表示される複数の釦画像の夫々についての操作履歴データが形成されて、メモリ部に格納され、そして、表示態様制御手段が、電子機器の複数の使用者の夫々に個別に対応し、各々についての操作履歴データに応じて、画像表示部により表示される複数の釦画像の表示態様を変化させる。それにより、電子機器が複数の使用者によって使用されるにあたり、各使用者にとって、画像表示部により表示される複数の釦画像のうちの、例えば、操作頻度が高いものとされる選択された釦画像が、瞬時に他の釦画像から視覚的に明瞭に区別できるものとされることになり、操作パネル部における選択された釦画像に対応する部位の特定が容易かつ確実に行われることになって、誤操作がもたらされる事態の低減が効果的に図られる。
【発明を実施するための最良の形態】
【００１２】
本願の特許請求の範囲における請求項１から請求項７までのいずれかに記載された発明を実施するための最良の形態は、以下に述べられる実施例をもって説明される。
【実施例】
【００１３】
図２は、本願の特許請求の範囲における請求項１から請求項７までのいずれかに記載された発明に係る画像表示を用いた制御装置の一例を、それが適用された電子機器と共に示す。
【００１４】
図２に示される電子機器は、例えば、アンテナ１１を通じたテレビジョン放送信号を選局受信し、受信されたテレビジョン放送信号に周波数変換を施して、中間周波信号ＶＩＦを送出するテレビジョン・チューナ部（以下、ＴＶチューナ部という。）１２と、アンテナ１３を通じたＦＭ／ＡＭラジオ放送信号を選局受信し、受信されたＦＭ／ＡＭラジオ放送信号に周波数変換を施して、中間周波信号ＡＩＦを送出するＦＭ／ＡＭラジオ・チューナ部（以下、ＦＭ／ＡＭチューナ部という。）１４と、ＤＶＤ（Digital Versatile Disc: ディジタル・バーサタイル・ディスク）に記録された映像信号情報，音声信号情報等を再生するＤＶＤプレーヤ部１５とを備えている。
【００１５】
ＴＶチューナ部１２から得られる中間周波信号ＶＩＦは、テレビジョン信号用の受信信号処理部１６に供給される。受信信号処理部１６においては、中間周波信号ＶＩＦに増幅，検波，映像信号／音声信号分離，出力増幅等々の各種の処理が施されて、中間周波信号ＶＩＦに基づく音声信号ＳＡＴと映像信号ＳＶＴとが再生され、それらが受信信号処理部１６から送出される。受信信号処理部１６から得られる音声信号ＳＡＴは、音声信号選択部１７に供給され、また、受信信号処理部１６から得られる映像信号ＳＶＴは、映像信号選択部１８に供給される。
【００１６】
一方、ＦＭ／ＡＭチューナ部１４から得られる中間周波信号ＡＩＦは、ＦＭ／ＡＭ信号用の受信信号処理部１９に供給される。受信信号処理部１９においては、中間周波信号ＡＩＦに増幅，検波，出力増幅等々の各種の処理が施されて、中間周波信号ＡＩＦに基づく音声信号ＳＡＲが再生され、それが受信信号処理部１９から送出される。受信信号処理部１９から得られる音声信号ＳＡＲは、音声信号選択部１７に供給される。
【００１７】
さらに、ＤＶＤプレーヤ部１５においては、そこに装着されたＤＶＤから音声信号ＳＡＤと映像信号ＳＶＤとが再生され、それらがＤＶＤプレーヤ部１５から送出される。ＤＶＤプレーヤ部１５から得られる音声信号ＳＡＤは、音声信号選択部１７に供給され、また、ＤＶＤプレーヤ部１５から得られる映像信号ＳＶＤは、映像信号選択部１８に供給される。
【００１８】
音声信号選択部１７においては、受信信号処理部１６からの音声信号ＳＡＴ，受信信号処理部１９からの音声信号ＳＡＲ及びＤＶＤプレーヤ部１５からの音声信号ＳＡＤのうちのいずれかが選択され、それが出力音声信号ＳＡＯとして音声信号選択部１７から送出されて音声出力部２０に供給される。それにより、音声出力部２０において、出力音声信号ＳＡＯに基づく音声が発せられる。
【００１９】
なお、音声信号選択部１７にあっては、出力音声信号ＳＡＯが送出されない状態もとられ、その際には、音声出力部２０における音声の発生はなされない。
【００２０】
また、映像信号選択部１８においては、受信信号処理部１６からの映像信号ＳＶＴ及びＤＶＤプレーヤ部１５からの映像信号ＳＶＤのうちのいずれかが選択され、それが映像出力信号（例えば、カラー映像信号）ＳＶＯとして映像信号選択部１８から送出され、信号加算部２１を通じて画像表示部２２に供給される。それにより、画像表示部２２において、映像出力信号ＳＶＯに基づく画像が表示される。画像表示部２２は、例えば、液晶画像表示パネルが用いられて構成されるものとされる。
【００２１】
なお、映像信号選択部１８にあっては、映像出力信号ＳＶＯが送出されない状態もとられ、その際には、画像表示部２２における画像の表示は行われない。
【００２２】
画像表示部２２には、その表示面部に重ねて配された操作パネル部２３が設けられている。操作パネル部２３は、光透過型とされており、それを透して、画像表示部２２の表示面部において表示される画像を視覚的に捉えることができる。そして、操作パネル部２３は、それに対する接触操作がなされるとき、その接触位置に応じた操作出力信号ＳＴＣを送出する。
【００２３】
さらに、図２に示される電子機器には、動作制御部３０が備えられている。動作制御部３０には、操作パネル部２３から得られる操作出力信号ＳＴＣが供給される。また、動作制御部３０に関連して、図２に示される電子機器の使用者による操作が行われる操作部３１，動作制御部３０の動作に関わる動作プログラムが格納されたプログラムメモリ部３２，動作制御部３０からのデータを格納するとともに格納されたデータを動作制御部３０に供給するメモリ部３３、及び、表示信号形成部３４が設けられている。
【００２４】
操作部３１からは、それに対する操作に応じた操作入力データＤＩが送出され、それが動作制御部３０に供給される。プログラムメモリ部３２からは、必要に応じてプログラムデータＤＰが読み出され、それが動作制御部３０に供給される。メモリ部３３と動作制御部３０との間では、動作制御部３０から送出されてメモリ部３３に格納されるとともに、メモリ部３３から読み出されて動作制御部３０に供給されるデータＤＤの遣り取りが行われる。
【００２５】
表示信号形成部３４には、動作制御部３０から送出される表示データＤＰＹが供給され、表示信号形成部３４において、表示データＤＰＹに基づく表示信号ＳＰＹが形成され、それが表示信号形成部３４から信号加算部２１を通じて画像表示部２２に供給される。信号加算部２１においては、表示信号形成部３４からの表示信号ＳＰＹが、映像信号選択部１８からの映像出力信号ＳＶＯに加算されて画像表示部２２に供給される状態、もしくは、映像出力信号ＳＶＯに加算されることなく画像表示部２２に供給される状態がとられる。それにより、画像表示部２２においては、表示信号ＳＰＹがあらわす画像が、映像出力信号ＳＶＯがあらわす画像に重畳されて、もしくは、映像出力信号ＳＶＯがあらわす画像に重畳されることなく表示される。
【００２６】
勿論、動作制御部３０から表示データＤＰＹが表示信号形成部３４に供給されない状況のもとでは、画像表示部２２における、表示信号形成部３４からの表示信号ＳＰＹがあらわす画像の表示は行われない。
【００２７】
動作制御部３０は、例えば、マイクロコンピュータが用いられて構成され、ＴＶチューナ部１２に対する制御信号ＳＴ，ＦＭ／ＡＭチューナ部１４に対する制御信号ＳＲ，ＤＶＤプレーヤ部１５に対する制御信号ＳＰ，音声信号選択部１７に対する制御信号ＳＳＡ，及び、映像信号選択部１８に対する制御信号ＳＳＶを、状況に応じて送出し、ＴＶチューナ部１２，ＦＭ／ＡＭチューナ部１４，ＤＶＤプレーヤ部１５，音声信号選択部１７及び映像信号選択部１８の夫々についての動作制御を行う。
【００２８】
このような図２に示される電子機器が使用者による使用に供される際には、先ず、使用者が、操作部３１を操作して、予め定められた自己をあらわす識別コードを入力する。それにより、操作部３１から、入力された識別コードをあらわすユーザ識別データが、操作入力データＤＩとして動作制御部３０に供給される。
【００２９】
動作制御部３０においては、操作部３１からの操作入力データＤＩとされたユーザ識別データが、動作制御部３０に内蔵されたユーザ判別手段によって検出される。ユーザ判別手段は、ユーザ識別データを検出するとともに、検出されたユーザ識別データに基づいて、その時の電子機器の使用者を判別する。
【００３０】
ユーザ判別手段によって電子機器の使用者が判別されると、動作制御部３０に内蔵された背景・釦表示データ形成手段が、背景表示データを形成し、その背景表示データが表示データＤＰＹとして動作制御部３０から表示信号形成部３４へと送出されるようにする。それにより、表示信号形成部３４から背景表示データに基づく表示信号ＳＰＹが得られ、それが、信号加算部２１を通じて、画像表示部２２に供給される。その結果、画像表示部２２において背景表示データに基づく画面の背景表示が行われる。
【００３１】
なお、背景・釦表示データ形成手段は、後に、釦表示データを形成して、その釦表示データが表示データＤＰＹとして動作制御部３０から表示信号形成部３４へと送出されるようにする。
【００３２】
その際には、表示信号形成部３４から釦表示データに基づく表示信号ＳＰＹが得られ、それが、信号加算部２１を通じて、画像表示部２２に供給される。その結果、画像表示部２２において、釦表示データに基づく釦画像が表示される。
【００３３】
斯かる場合、釦表示データは、例えば、通常のもとにおいて、ＴＶチューナ部１２に対する制御に用いられるＴＶチューナ釦，ＦＭ／ＡＭチューナ部１４に対する制御に用いられるＦＭ／ＡＭチューナ釦、及び、ＤＶＤプレーヤ部１５に対する制御に用いられるＤＶＤ釦を夫々あらわす、ＴＶチューナ釦表示データ，ＦＭ／ＡＭチューナ釦表示データ、及び、ＤＶＤ釦表示データを含むものとされる。それにより、通常にあっては、画像表示部２２においてＴＶチューナ釦画像，ＦＭ／ＡＭチューナ釦画像及びＤＶＤ釦画像が表示される。
【００３４】
画像表示部２２においてＴＶチューナ釦画像，ＦＭ／ＡＭチューナ釦画像及びＤＶＤ釦画像が表示されているもとで、操作パネル部２３におけるＴＶチューナ釦画像，ＦＭ／ＡＭチューナ釦画像及びＤＶＤ釦画像のうちのいずれかに対応する部位について接触操作が行われると、それに応じた操作出力信号ＳＴＣが操作パネル部２３から得られて動作制御部３０に供給される。このため操作出力信号ＳＴＣは、操作パネル部２３を介在させてのＴＶチューナ釦画像についての操作，ＦＭ／ＡＭチューナ釦画像についての操作、あるいは、ＤＶＤ釦画像についての操作に応じたものとされる。
【００３５】
このような操作出力信号ＳＴＣが供給される動作制御部３０にあっては、操作出力信号ＳＴＣの内容に応じて、制御信号ＳＴ，ＳＲもしくはＳＰを送出し、それによって、例えば、ＴＶチューナ部１２，ＦＭ／ＡＭチューナ部１４もしくはＤＶＤプレーヤ部１５に、非動作状態から動作状態への移行、あるいは、動作状態から非動作状態への移行を行わせる。また、このとき、動作制御部３０に内蔵された操作検出・判別手段が、操作パネル部２３からの操作出力信号ＳＴＣに基づき、操作パネル部２３を介在させて行われた操作が、ＴＶチューナ釦画像についての操作，ＦＭ／ＡＭチューナ釦画像についての操作及びＤＶＤ釦画像についての操作のうちのいずれであったかを判別し、その判別結果に基づいて、ＴＶチューナ釦画像，ＦＭ／ＡＭチューナ釦画像及びＤＶＤ釦画像の夫々についての操作履歴データを形成する。
【００３６】
操作検出・判別手段により形成される操作履歴データは、データＤＤとして動作制御部３０からメモリ部３３へと供給され、メモリ部３３に、ユーザ判別手段によって判別される使用者毎に整理されて格納される。メモリ部３３に格納される操作履歴データは、順次蓄積されていく。
【００３７】
前述のようにして、画像表示部２２において背景表示データに基づく画面の背景表示が行われた後、動作制御部３０に内蔵された表示態様制御手段が、それまでにメモリ部３３に格納されて蓄積された、ユーザ判別手段により判別された使用者についての操作履歴データに基づいて、ＴＶチューナ釦画像，ＦＭ／ＡＭチューナ釦画像及びＤＶＤ釦画像の夫々についての過去における操作回数の総和が、予め設定された所定回数以上か否かを判断する。
【００３８】
その結果、ＴＶチューナ釦画像，ＦＭ／ＡＭチューナ釦画像及びＤＶＤ釦画像の夫々についての過去における操作回数の総和が、予め設定された所定回数に達していないと判断された場合には、背景・釦表示データ形成手段が、画像表示部２２においてＴＶチューナ釦，ＦＭ／ＡＭチューナ釦及びＤＶＤ釦の夫々が普通規模をもって表示されることになる、ＴＶチューナ釦普通規模表示データ，ＦＭ／ＡＭチューナ釦普通規模表示データ、及び、ＤＶＤ釦普通規模表示データを含んだ表示データＤＰＹを形成し、その表示データＤＰＹが動作制御部３０から表示信号形成部３４へと送出される。画像表示部２２においてＴＶチューナ釦，ＦＭ／ＡＭチューナ釦及びＤＶＤ釦の夫々が普通規模をもって表示されるときには、例えば、図３に示されるように、画像表示部２２の表示面部２２ａにおいて、互いに略同じ大きさを有したＴＶチューナ釦画像４１，ＦＭ／ＡＭチューナ釦画像４２及びＤＶＤ釦画像４３が、配列配置されたものとして表示される。ＴＶチューナ釦画像４１，ＦＭ／ＡＭチューナ釦画像４２及びＤＶＤ釦画像４３の夫々の周囲の一点鎖線は、ＴＶチューナ釦画像４１，ＦＭ／ＡＭチューナ釦画像４２及びＤＶＤ釦画像４３の各々が大規模をもって表示されるときの輪郭をあらわしている。
【００３９】
それに対して、ＴＶチューナ釦画像，ＦＭ／ＡＭチューナ釦画像及びＤＶＤ釦画像の夫々についての過去における操作回数の総和が、予め設定された所定回数以上であると判断された場合には、表示態様制御手段が、さらに、メモリ部３３に格納されて蓄積された操作履歴データに基づき、ＴＶチューナ釦画像，ＦＭ／ＡＭチューナ釦画像及びＤＶＤ釦画像の夫々に関し、それについての過去における操作回数を、ＴＶチューナ釦画像，ＦＭ／ＡＭチューナ釦画像及びＤＶＤ釦画像の夫々についての過去における操作回数の総和を３で除して得られる平均操作回数（以下、単に平均操作回数という）と比較する。
【００４０】
その結果、例えば、ＴＶチューナ釦画像についての過去における操作回数が、平均操作回数より所定の割合、例えば、２０％以上多いという比較結果が得られた場合には、背景・釦表示データ形成手段が、画像表示部２２においてＴＶチューナ釦画像が普通規模より大なる大規模をもって表示されることになるＴＶチューナ釦大規模表示データとされる表示データＤＰＹを形成し、その表示データＤＰＹが動作制御部３０から表示信号形成部３４へと送出される。また、例えば、ＴＶチューナ釦画像についての過去における操作回数が、平均操作回数より所定の割合、例えば、２０％以上少ないという比較結果が得られた場合には、背景・釦表示データ形成手段が、画像表示部２２においてＴＶチューナ釦画像が普通規模より小なる小規模をもって表示されることになるＴＶチューナ釦小規模表示データとされる表示データＤＰＹを形成し、その表示データＤＰＹが動作制御部３０から表示信号形成部３４へと送出される。さらに、例えば、ＴＶチューナ釦画像についての過去における操作回数が、平均操作回数より所定の割合、例えば、２０％だけ多い回数と所定の割合、例えば、２０％だけ多い少ない回数との間にあるという比較結果が得られた場合には、背景・釦表示データ形成手段が、画像表示部２２においてＴＶチューナ釦画像が普通規模をもって表示されることになるＴＶチューナ釦普通規模表示データとされる表示データＤＰＹを形成し、その表示データＤＰＹが動作制御部３０から表示信号形成部３４へと送出される。
【００４１】
また、ＦＭ／ＡＭチューナ釦画像についての過去における操作回数及びＤＶＤ釦画像についての過去における操作回数に関しても、表示態様制御手段により、ＴＶチューナ釦画像についての操作回数の場合と同様にして、平均操作回数との比較がなされ、その比較結果に応じた表示データＤＰＹを背景・釦表示データ形成手段が形成し、その表示データＤＰＹが動作制御部３０から表示信号形成部３４へと送出される。
【００４２】
このようにして、動作制御部３０から表示信号形成部３４に供給される表示データＤＰＹに基づく表示信号ＳＰＹが、信号加算部２１を通じて画像表示部２２に供給されることにより、画像表示部２２の表示面部２２ａにおいて、ＴＶチューナ釦画像、ＦＭ／ＡＭチューナ釦画像及びＤＶＤ釦画像の夫々が、それについての過去における操作回数が平均操作回数より所定の割合、例えば、２０％以上多いものである場合、即ち、過去における操作頻度が比較的高かったものである場合に、大規模をもって表示され、また、それについての過去における操作回数が平均操作回数より所定の割合、例えば、２０％以上少ないものである場合、即ち、過去における操作頻度が比較的低かったものである場合に、小規模をもって表示され、さらに、それについての過去における操作回数が平均操作回数より所定の割合、例えば、２０％だけ多い回数と所定の割合、例えば、２０％だけ多い少ない回数との間にあるものである場合、即ち、過去における操作頻度が中間的であったものである場合に、普通規模をもって表示される状況のもとに、ＴＶチューナ釦画像、ＦＭ／ＡＭチューナ釦画像及びＤＶＤ釦画像が同時に表示される。
【００４３】
例えば、ＴＶチューナ釦画像が、それについての過去における操作回数が平均操作回数より所定の割合、例えば、２０％以上多いものである場合、即ち、過去における操作頻度が比較的高かったものである場合、例えば、図１に示されるように、画像表示部２２の表示面部２２ａにおいて、大規模をもって表示されるＴＶチューナ釦画像４１と各々が通常規模をもって表示されるＦＭ／ＡＭチューナ釦画像４２及びＤＶＤ釦画像４３とが、配列配置されることになる。また、例えば、ＦＭ／ＡＭチューナ釦画像が、それについての過去における操作回数が平均操作回数より所定の割合、例えば、２０％以上多いものである場合、即ち、過去における操作頻度が比較的高かったものである場合、例えば、図４に示されるように、画像表示部２２の表示面部２２ａにおいて、大規模をもって表示されるＦＭ／ＡＭチューナ釦画像４２と各々が通常規模をもって表示されるＴＶチューナ釦画像４１及びＤＶＤ釦画像４３とが、配列配置されることになる。さらに、例えば、ＤＶＤ釦画像が、それについての過去における操作回数が平均操作回数より所定の割合、例えば、２０％以上多いものである場合、即ち、過去における操作頻度が比較的高かったものである場合、例えば、図５に示されるように、画像表示部２２の表示面部２２ａにおいて、大規模をもって表示されるＤＶＤ釦画像４３と各々が通常規模をもって表示されるＴＶチューナ釦画像４１及びＦＭ／ＡＭチューナ釦画像４２とが、配列配置されることになる。
【００４４】
このように、画像表示部２２の表示面部２２ａにおいて、ＴＶチューナ釦画像，ＦＭ／ＡＭチューナ釦画像及びＤＶＤ釦画像のうちの過去における操作頻度が比較的高かったものが、大規模をもって表示され、その大きさが他のものの大きさより大とされることにより、過去における操作頻度が比較的高かった釦画像が、瞬時に他の釦画像から視覚的に明瞭に区別できるものとされることになる。その結果、操作パネル部２３における、過去における操作頻度が比較的高かった釦画像に対応する部位の特定が容易かつ確実に行われることになって、使用者が、過去における操作頻度が比較的高かった釦画像についての操作を、容易かつ確実に行うことができ、誤操作がもたらされる事態の低減が効果的に図られる。
【００４５】
上述においては、ＴＶチューナ釦画像，ＦＭ／ＡＭチューナ釦画像及びＤＶＤ釦画像のうちの過去における操作回数が平均操作回数より所定の割合、例えば、２０％以上少ないものであるもの、即ち、過去における操作頻度が比較的低かったものについては、画像表示部２２の表示面部２２ａにおいて小規模をもって表示されるようになされているが、そうでなく、ＴＶチューナ釦画像，ＦＭ／ＡＭチューナ釦画像及びＤＶＤ釦画像のうちの過去における操作回数が平均操作回数より所定の割合、例えば、２０％以上少ないものであるもの、即ち、過去における操作頻度が比較的低かったものについては、画像表示部２２の表示面部２２ａにおいて表示されないようにすることもできる。
【００４６】
斯かる際には、表示態様制御手段により、ＴＶチューナ釦画像，ＦＭ／ＡＭチューナ釦画像及びＤＶＤ釦画像のうちのいずれかについての過去における操作回数が、平均操作回数より所定の割合、例えば、２０％以上少ないという比較結果が得られた場合には、背景・釦表示データ形成手段が、当該ＴＶチューナ釦画像，ＦＭ／ＡＭチューナ釦画像及びＤＶＤ釦画像のうちのいずれかについてのデータを含まない表示データＤＰＹを形成するようにされ、その表示データＤＰＹが動作制御部３０から表示信号形成部３４へと送出される。
【００４７】
図６は、例えば、ＴＶチューナ釦画像が、それについての過去における操作回数が平均操作回数より所定の割合、例えば、２０％以上少ないものであるもの、即ち、過去における操作頻度が比較的低かったものであって、画像表示部２２の表示面部２２ａにおいて表示されない場合を示す。図６においては、画像表示部２２の表示面部２２ａにおいて、ＦＭ／ＡＭチューナ釦画像４２とＤＶＤ釦画像４３とのみが表示されている。
【００４８】
このようにして、過去における操作回数が平均操作回数より所定の割合、例えば、２０％以上少ないものである釦画像、即ち、過去における操作頻度が比較的低かった釦画像が、画像表示部２２の表示面部２２ａにおいて表示されないようにされることにより、表示された他の釦画像が、視覚的に明瞭に区別されやすいものとされる。その結果、操作パネル部２３における、表示された他の釦画像に対応する部位の特定が容易かつ確実に行われることになって、使用者が、他の釦画像についての操作を、容易かつ確実に行うことができ、誤操作がもたらされる事態の低減が効果的に図られる。
【００４９】
なお、過去における操作回数が平均操作回数より所定の割合、例えば、２０％以上少ないものである釦画像、即ち、過去における操作頻度が比較的低かった釦画像が、画像表示部２２の表示面部２２ａにおいて表示されないようにされる場合には、使用者が、例えば、操作部３１を操作することにより、斯かる機能を任意に解除でき、過去における操作回数が平均操作回数より所定の割合、例えば、２０％以上少ないものである釦画像、即ち、過去における操作頻度が比較的低かった釦画像も、画像表示部２２の表示面部２２ａにおいて表示される状態が得られるようにすることが望まれる。
【００５０】
さらに、上述においては、画像表示部２２の表示面部２２ａにおいて、ＴＶチューナ釦画像、ＦＭ／ＡＭチューナ釦画像及びＤＶＤ釦画像の夫々が、それについての過去における操作回数が平均操作回数より所定の割合、例えば、２０％以上多いものである場合、即ち、過去における操作頻度が比較的高かったものである場合と、それについての過去における操作回数が平均操作回数より所定の割合、例えば、２０％以上少ないものである場合、即ち、過去における操作頻度が比較的低かったものである場合と、それについての過去における操作回数が平均操作回数より所定の割合、例えば、２０％だけ多い回数と所定の割合、例えば、２０％だけ多い少ない回数との間にあるものである場合とで、画像の大きさが異なるものとされて表示されるが、画像の大きさに代えて、あるいは、画像の大きさに加えて、画像の色，画像の輪郭形状，画像の配置関係等が異なるものとされて表示されるようにすることもできる。
【００５１】
斯かる際には、表示態様制御手段により、例えば、ＴＶチューナ釦画像についての過去における操作回数が、平均操作回数より所定の割合、例えば、２０％以上多いという比較結果が得られた場合には、背景・釦表示データ形成手段が、画像表示部２２においてＴＶチューナ釦画像が、第１の色，第１の輪郭形状もしくは第１の配置位置もって表示されることになるＴＶチューナ釦表示データとされる表示データＤＰＹを形成し、その表示データＤＰＹが動作制御部３０から表示信号形成部３４へと送出される。また、表示態様制御手段により、例えば、ＴＶチューナ釦画像についての過去における操作回数が、平均操作回数より所定の割合、例えば、２０％以上少ないという比較結果が得られた場合には、背景・釦表示データ形成手段が、画像表示部２２においてＴＶチューナ釦画像が、第２の色，第２の輪郭形状もしくは第２の配置位置をもって表示されることになるＴＶチューナ釦表示データとされる表示データＤＰＹを形成し、その表示データＤＰＹが動作制御部３０から表示信号形成部３４へと送出される。さらに、表示態様制御手段により、例えば、ＴＶチューナ釦画像についての過去における操作回数が、平均操作回数より所定の割合、例えば、２０％だけ多い回数と所定の割合、例えば、２０％だけ多い少ない回数との間にあるという比較結果が得られた場合には、背景・釦表示データ形成手段が、画像表示部２２においてＴＶチューナ釦画像が、第３の色，第３の輪郭形状もしくは第３の配置位置をもって表示されることになるＴＶチューナ釦表示データとされる表示データＤＰＹを形成し、その表示データＤＰＹが動作制御部３０から表示信号形成部３４へと送出される。
【００５２】
そして、ＦＭ／ＡＭチューナ釦画像についての過去における操作回数及びＤＶＤ釦画像についての過去における操作回数に関しても、表示態様制御手段により、ＴＶチューナ釦画像についての操作回数の場合と同様にして、平均操作回数との比較がなされ、その比較結果に応じた表示データＤＰＹを背景・釦表示データ形成手段が形成し、その表示データＤＰＹが動作制御部３０から表示信号形成部３４へと送出される。
【００５３】
斯かるもとにおいても、画像表示部２２の表示面部２２ａにおいて、ＴＶチューナ釦画像，ＦＭ／ＡＭチューナ釦画像及びＤＶＤ釦画像のうちの、例えば、過去における操作頻度が比較的高かったものが、瞬時に他の釦画像から視覚的に明瞭に区別できるものとされることになる。その結果、操作パネル部２３における、例えば、過去における操作頻度が比較的高かった釦画像に対応する部位の特定が容易かつ確実に行われることになって、使用者が、その過去における操作頻度が比較的高かった釦画像についての操作を、容易かつ確実に行うことができ、誤操作がもたらされる事態の低減が効果的に図られる。
【００５４】
上述のような構成のもとにおいて、動作制御部３０に内蔵された表示態様制御手段は、メモリ部３３に格納された操作履歴データに応じて、画像表示部２２により表示されるＴＶチューナ釦画像，ＦＭ／ＡＭチューナ釦画像及びＤＶＤ釦画像の表示態様を変化させる手段を構成していることになる。また、信号加算部２１，画像表示部２２，操作パネル部２３，動作制御部３０，操作部３１，プログラムメモリ部３２，メモリ部３３及び表示信号形成部３４を含む部分によって、本願の特許請求の範囲における請求項１から請求項７までのいずれかに記載された発明に係る画像表示を用いた制御装置の一例が構成されている。
【００５５】
図７は、動作制御部３０を構成するマイクロコンピュータが、画像表示部２２の表示面部２２ａにおいて、ＴＶチューナ釦画像、ＦＭ／ＡＭチューナ釦画像及びＤＶＤ釦画像の夫々が、それについての過去における操作頻度が比較的高かったものである場合と、それについての過去における操作頻度が比較的低かったものである場合と、それについての過去における操作頻度が中間的であったものである場合とで、画像の大きさが異なるものとされて表示されるようにする制御、を行うにあたって実行する動作プログラムの一例をあらわすフローチャートを示す。
【００５６】
図７に示されるフローチャートにあっては、スタート後、ステップ５１において、操作部３１からの操作入力データＤＩとしてユーザ識別データが到来したか否かを判断する。その結果、ユーザ識別データが到来していない場合には、ステップ５１での判断を繰り返し、ユーザ識別データが到来した場合には、ステップ５２において、ユーザ識別データに基づいて使用者を判別する。
【００５７】
次に、ステップ５３において、背景表示データを表示データＤＰＹとして送出し、続くステップ５４において、ステップ５２で判別された使用者に関するＴＶチューナ釦画像、ＦＭ／ＡＭチューナ釦画像及びＤＶＤ釦画像の夫々についての操作履歴データをメモリ部３３から取り込み、ステップ５５に進む。
【００５８】
ステップ５５においては、操作履歴データに基づき、ＴＶチューナ釦画像，ＦＭ／ＡＭチューナ釦画像及びＤＶＤ釦画像の夫々についての操作回数の総和が、予め設定された所定回数以上か否かを判断する。その結果、操作回数の総和が予め設定された所定回数に達していない場合には、ステップ５６において、画像表示部２２においてＴＶチューナ釦画像，ＦＭ／ＡＭチューナ釦画像及びＤＶＤ釦画像の夫々が普通規模をもって表示されることになる、ＴＶチューナ釦普通規模表示データ，ＦＭ／ＡＭチューナ釦普通規模表示データ及びＤＶＤ釦普通規模表示データを含んだ表示データＤＰＹを送出して、プログラムを終了する。
【００５９】
一方、ステップ５５での判断の結果、操作回数の総和が予め設定された所定回数以上である場合には、ステップ５７において、ＴＶチューナ釦画像についての過去における操作回数が、平均操作回数より所定の割合、例えば、２０％以上多いか否かを判断する。その結果、平均操作回数より所定の割合、例えば、２０％以上多くない場合には、ステップ５８において、ＴＶチューナ釦画像についての過去における操作回数が、平均操作回数より所定の割合、例えば、２０％以上少ないか否かを判断する。その結果、平均操作回数より所定の割合、例えば、２０％以上少ない場合には、ステップ５９において、画像表示部２２においてＴＶチューナ釦画像が普通規模より小なる小規模をもって表示されることになるＴＶチューナ釦小規模表示データとされる表示データＤＰＹを送出して、ステップ６０に進む。
【００６０】
これに対して、ステップ５８での判断の結果、ＴＶチューナ釦画像についての過去における操作回数が、平均操作回数より所定の割合、例えば、２０％以上少なくない場合には、ステップ６１において、ＴＶチューナ釦画像が普通規模をもって表示されることになる、ＴＶチューナ釦普通規模表示データとされる表示データＤＰＹを送出して、ステップ６０に進む。
【００６１】
さらに、ステップ５７での判断の結果、ＴＶチューナ釦画像についての過去における操作回数が、平均操作回数より所定の割合、例えば、２０％以上多い場合には、ステップ６２において、ＴＶチューナ釦画像が普通規模より大なる大規模をもって表示されることになるＴＶチューナ釦大規模表示データとされる表示データＤＰＹを送出して、ステップ６０に進む。
【００６２】
ステップ６０においては、ＦＭ／ＡＭチューナ釦画像についての過去における操作回数が、平均操作回数より所定の割合、例えば、２０％以上多いか否かを判断する。その結果、平均操作回数より所定の割合、例えば、２０％以上多くない場合には、ステップ６２において、ＦＭ／ＡＭチューナ釦画像についての過去における操作回数が、平均操作回数より所定の割合、例えば、２０％以上少ないか否かを判断する。その結果、平均操作回数より所定の割合、例えば、２０％以上少ない場合には、ステップ６３において、画像表示部２２においてＦＭ／ＡＭチューナ釦画像が普通規模より小なる小規模をもって表示されることになるＦＭ／ＡＭチューナ釦小規模表示データとされる表示データＤＰＹを送出して、ステップ６４に進む。
【００６３】
これに対して、ステップ６２での判断の結果、ＦＭ／ＡＭチューナ釦画像についての過去における操作回数が、平均操作回数より所定の割合、例えば、２０％以上少なくない場合には、ステップ６５において、ＦＭ／ＡＭチューナ釦画像が普通規模をもって表示されることになる、ＦＭ／ＡＭチューナ釦普通規模表示データとされる表示データＤＰＹを送出して、ステップ６４に進む。
【００６４】
さらに、ステップ６０での判断の結果、ＦＭ／ＡＭチューナ釦画像についての過去における操作回数が、平均操作回数より所定の割合、例えば、２０％以上多い場合には、ステップ６６において、ＦＭ／ＡＭチューナ釦画像が普通規模より大なる大規模をもって表示されることになるＦＭ／ＡＭチューナ釦大規模表示データとされる表示データＤＰＹを送出して、ステップ６４に進む。
【００６５】
ステップ６４においては、ＤＶＤ釦画像についての過去における操作回数が、平均操作回数より所定の割合、例えば、２０％以上多いか否かを判断する。その結果、平均操作回数より所定の割合、例えば、２０％以上多くない場合には、ステップ６７において、ＤＶＤ釦画像についての過去における操作回数が、平均操作回数より所定の割合、例えば、２０％以上少ないか否かを判断する。その結果、平均操作回数より所定の割合、例えば、２０％以上少ない場合には、ステップ６８において、画像表示部２２においてＤＶＤ釦画像が普通規模より小なる小規模をもって表示されることになるＤＶＤ釦小規模表示データとされる表示データＤＰＹを送出して、プログラムを終了する。
【００６６】
これに対して、ステップ６７での判断の結果、ＤＶＤ釦画像についての過去における操作回数が、平均操作回数より所定の割合、例えば、２０％以上少なくない場合には、ステップ６９において、ＤＶＤ釦画像が普通規模をもって表示されることになる、ＤＶＤ釦普通規模表示データとされる表示データＤＰＹを送出して、プログラムを終了する。
【００６７】
さらに、ステップ６４での判断の結果、ＤＶＤ釦画像についての過去における操作回数が、平均操作回数より所定の割合、例えば、２０％以上多い場合には、ステップ７０において、ＤＶＤ釦画像が普通規模より大なる大規模をもって表示されることになるＤＶＤ釦大規模表示データとされる表示データＤＰＹを送出して、プログラムを終了する。
【産業上の利用可能性】
【００６８】
上述のような本願の特許請求の範囲における請求項１から請求項７までのいずれかに記載された発明に係る画像表示を用いた制御装置は、例えば、車載用の電子機器に適用するに好適であるのみならず、車載用の電子機器以外の電子機器にも広く適用され得るものである。
【図面の簡単な説明】
【００６９】
【図１】図２に示される本願の特許請求の範囲における請求項１から請求項７までのいずれかに記載された発明に係る画像表示を用いた制御装置の一例に備えられる画像表示部における表示態様の一例を示す概念図である。
【図２】本願の特許請求の範囲における請求項１から請求項７までのいずれかに記載された発明に係る画像表示を用いた制御装置の一例を、それが適用された電子機器と共に示すブロック構成図である。
【図３】図２に示される画像表示を用いた制御装置の一例に備えられる画像表示部における表示態様の一例を示す概念図である。
【図４】図２に示される画像表示を用いた制御装置の一例に備えられる画像表示部における表示態様の一例を示す概念図である。
【図５】図２に示される画像表示を用いた制御装置の一例に備えられる画像表示部における表示態様の一例を示す概念図である。
【図６】図２に示される画像表示を用いた制御装置の一例に備えられる画像表示部における表示態様の一例を示す概念図である。
【図７】図２に示される画像表示を用いた制御装置の一例に備えられる動作制御部を構成するマイクロコンピュータが実行する動作プログラムの一例を示すフローチャートである。
【符号の説明】
【００７０】
１１，１３・・・・アンテナ，  １２・・・ＴＶチューナ部，  １４・・・ＦＭ／ＡＭチューナ部，  １５・・・ＤＶＤプレーヤ部，  １６，１９・・・受信信号処理部，  １７・・・音声信号選択部，  １８・・・映像信号選択部，  ２０・・・音声出力部，  ２１・・・信号加算部，  ２２・・・画像表示部，  ２３・・・操作パネル部，  ３０・・・動作制御部，  ３１・・・操作部，  ３２・・・プログラムメモリ部，  ３３・・・メモリ部，  ３４・・・表示信号形成部
【図１】
2005134944.tif 000003
【図２】
2005134944.tif 000004
【図３】
2005134944.tif 000005
【図４】
2005134944.tif 000006
【図５】
2005134944.tif 000007
【図６】
2005134944.tif 000008
【図７】
2005134944.tif 000009